(57)【要約】【課題】  簡易な構成で、より効率良く平面の上で車両の姿勢または位置を変更できる車両移動装置を提供しようとする。【解決手段】  従来の車両の姿勢を変更できる車両移動装置にかわって、車両の車輪を各々に平面から持ち上げることをできる複数の車輪支持機構と複数の該車輪支持機構に連結し平面の上を移動できる走行機構とを有する台車装置を備え、前記車輪支持機構が車両の車輪の外周に接触できる前後一対の車輪外周支持機構の前後方向の相対距離を接近させることをでき、前記車輪支持移動機構が前後一対の車輪外周支持機構の前後方向の相対距離を接近させると、前後一対の車輪支持ローラの外周が車輪の外周に接して、車輪が平面から持ち上げる、ものとした。【選択図】    図１
2008075351.tif 000002
【特許請求の範囲】
【請求項１】
平面の上で車両の姿勢または位置を変更できる車両移動装置であって、
車両の複数の車輪を各々に平面から持ち上げまたは平面に降ろすことをできる複数の車輪支持機構と複数の該車輪支持機構に連結し平面の上を移動できる走行機構とを有する台車装置を備え、
前記車輪支持機構が車両の車輪の外周の前方下半分と後方下半分とに夫々に接触できる前後一対の車輪外周支持機構と前後一対の車輪外周支持機構の前後方向の相対距離を離間させまたは接近させることをできる車輪支持移動機構とを持ち、
前記車輪外周支持機構が左右方向に伸びる車輪支持部材と該車輪支持部材に左右方向に沿って伸びる回転軸回りに回転自在に支持される円筒部材である車輪支持ローラと該車輪支持部材の前記車輪支持ローラを挟んで左右方向に離れた位置に各々に固定され平面の上を任意の方向に転動できる左右一対の自在車輪とを含み、
前後一対の車輪支持ローラが車輪を前後方向に挟む位置に置かれた第一姿勢の状態で、前記車輪支持移動機構が前後一対の車輪外周支持機構の前後方向の相対距離を接近させると、前後一対の車輪支持ローラの外周が車輪の外周に接して、車輪が平面から持ち上がり、また、車輪支持移動機構が前後一対の車輪外周支持機構の前後方向の相対距離を離間させると、前後一対の車輪支持ローラの外周が車輪の外周から離れて、車輪が平面に接する、
ことを特徴とする車両移動装置。
【請求項２】
前記台車装置が、前記走行機構を基礎として前後一対の前記車輪支持機構を左右方向に移動させる左右移動機構を有し、
前記左右移動機構が前記走行機構を基礎として前後一対の前記車輪支持機構を左右方向に移動させると、前記第一姿勢と前後一対の車輪支持ローラが前記走行機構の側へ引き込まれた第二姿勢との間で姿勢を変化させる、
ことを特徴とする請求項１に記載の車両移動装置。
【請求項３】
平面の上で車両の姿勢または位置を変更できる車両移動装置であって、
車両の左右の一方の側の前方の車輪と後方の車輪とを各々に平面から持ち上げまたは平面に降ろすことをできる前後一対の車輪支持機構と前後一対の該車輪支持機構に連結し平面の上を移動できる走行機構とを有する左右一対の台車装置を備え、
前記走行機構が前後方向に沿って伸びる梁構造体と該梁構造体の前後方向に距離を離した位置に設けられた前後一対の走行車輪と前記梁構造体と前後一対の該車輪支持機構とを連結し前後方向に伸びる揺動軸回りに揺動する連結構造とを持ち、
前記車輪支持機構が車両の車輪の外周の前方下半分と後方下半分とに夫々に接触できる前後一対の車輪外周支持機構と前後一対の車輪外周支持機構の前後方向の相対距離を離間させまたは接近させることをできる車輪支持移動機構とを持ち、
前記車輪外周支持機構が左右方向に伸びる車輪支持部材と該車輪支持部材に左右方向に沿って伸びる回転軸回りに回転自在に支持される円筒部材である車輪支持ローラと該車輪支持部材の前記車輪支持ローラを挟んで左右方向に離れた位置に各々に固定され平面の上を任意の方向に転動できる様になった左右一対の自在車輪とを含み、
前後一対の車輪支持ローラが車輪を前後方向に挟む位置に置かれた第一姿勢の状態で、前記車輪支持移動機構が前後一対の車輪外周支持機構の前後方向の相対距離を接近させると、前後一対の車輪支持ローラの外周が車輪の外周に接して、車輪が平面から持ち上がり、また、車輪支持移動機構が前後一対の車輪外周支持機構の前後方向の相対距離を離間させると、前後一対の車輪支持ローラの外周が車輪の外周から離れて、車輪が平面に接する、
ことを特徴とする車両移動装置。
【請求項４】
前記走行車輪が、水平方向に沿って伸びた車輪回転軸の回りに回転駆動される駆動車輪と該車輪回転軸を垂直軸の回りに回転させる揺動駆動機構とを持つ、
ことを特徴とする請求項３に記載の車両移動装置。
【請求項５】
前記台車装置が前記走行機構を基礎として前後一対の前記車輪支持機構を左右方向に移動させる左右移動機構を有し、
前記連結構造が前記梁構造体を基礎として左右方向に移動自在に案内される副梁構造体と該副梁構造と前後一対の車輪支持機構とを連結し前記揺動軸回りに揺動する連結部材とを含み、
前記左右移動機構が前記梁構造体を基礎として前記副梁構造体を左右方向に移動させると、前記第一姿勢と前後一対の車輪支持ローラが前記走行機構の側へ引き込まれた第二姿勢との間で姿勢を変化させる、
ことを特徴とする請求項３に記載の車両移動装置。
【請求項６】
平面の上で車両の姿勢または位置を変更できる車両移動装置であって、
車両の複数の車輪を各々に平面から持ち上げまたは平面に降ろすことをできる複数の車輪支持機構と複数の該車輪支持機構に連結し平面の上を移動できる走行機構と該走行機構を基礎として前後一対の該車輪支持機構を左右方向に移動させる左右移動機構とを有する台車装置を備え、
前記車輪支持機構が車両の車輪の外周の前方下半分と後方下半分とに夫々に接触できる前後一対の車輪外周支持機構と前後一対の車輪外周支持機構の前後方向の相対距離を離間させまたは接近させることをできる車輪支持移動機構とを持ち、
前記車輪外周支持機構が左右方向に伸びる車輪支持部材と該車輪支持部材に左右方向に沿った中心軸回りに回転自在に支持される円筒部材である車輪支持ローラとを含み、
前後一対の車輪支持ローラが車輪を前後方向に挟む位置に置かれた第一姿勢の状態で、前記車輪支持移動機構が前後一対の車輪外周支持機構の前後方向の相対距離を接近させると、前後一対の車輪支持ローラの外周が車輪の外周に接して、車輪が平面から持ち上がり、また、車輪支持移動機構が前後一対の車輪外周支持機構の前後方向の相対距離を離間させると、前後一対の車輪支持ローラの外周が車輪の外周から離れて、車輪が平面に接し、
前記左右移動機構が前記走行機構を基礎として前後一対の前記車輪支持機構を左右方向に移動させると、前記第一姿勢と前後一対の車輪支持ローラが前記走行機構の側へ引き込まれた第二姿勢との間で姿勢を変化させる、
ことを特徴とする車両移動装置。
【発明の詳細な説明】
【技術分野】
【０００１】
本発明は、平面の上で車両の姿勢または位置を変更できる車両移動装置に係る。特に、搬器に車両を格納して駐車する例えばタワー式駐車場のような駐車施設において、搬器に車両を搬入・搬出する駐車施設に用いることをできる車両移動装置に関する。
【背景技術】
【０００２】
搬器に車両を格納して駐車する駐車施設、例えば、エレベーター式駐車場のような立体駐車場等では、車両を支持する搬器が立体的に配設されるように構成されている。即ち、エレベーター式駐車場では、多層の収容空間を上下に貫通移動するリフトによって搬器としてのパレットに載置された車両を搬送して所定の収容空間にパレットごと移載するようになっているものである。
【０００３】
ところで、このような駐車施設では、通常、道路に面する前庭部から直接パレットに車両を乗り入れるようになっている。パレットには、車輪を案内する溝が形成されてはいるものの、特に初心者のように微妙な運転が不得手な者にとってはこのパレットへの乗り入れは難しく、何度も切り返しが必要で手間取るという問題があった。
また、パレット周辺の車両が乗り込むためのスペースが車イスが通るのには狭いケースが多く、車イスを使用する者にとって乗り込むのが難しいという問題があった。
【０００４】
例えば、このような問題を回避するために、自動入出庫装置が提案されている。これは、搬器の搭載位置と対応する前庭部に、車載移動体が入出庫方向に移動可能に設けられると共に、当該車載移動体に搭載される車両のトレッドに合わせて二条のコンベアを備えて構成され、車載移動体に搭載された車両をコンベアの移動によって搬器内に移送すると共に、コンベアを車載移動体の後退と同期させて前進駆動することで車両を搬器に移載するようになっているものである。
【０００５】
【特許文献１】特公昭５８−１８５０１号公報
【特許文献２】特願２００４−１６９４５１号公報
【発明の開示】
【発明が解決しようとする課題】
【０００６】
本発明は以上に述べた問題点に鑑み案出されたもので、簡易な構成で、より効率良く平面の上で車両の姿勢または位置を変更できる車両移動装置を提供しようとする。
【課題を解決するための手段】
【０００７】
上記目的を達成するため、本発明に係る平面の上で車両の姿勢または位置を変更できる車両移動装置を、車両の複数の車輪を各々に平面から持ち上げまたは平面に降ろすことをできる複数の車輪支持機構と複数の該車輪支持機構に連結し平面の上を移動できる走行機構とを有する台車装置を備え、前記車輪支持機構が車両の車輪の外周の前方下半分と後方下半分とに夫々に接触できる前後一対の車輪外周支持機構と前後一対の車輪外周支持機構の前後方向の相対距離を離間させまたは接近させることをできる車輪支持移動機構とを持ち、前記車輪外周支持機構が左右方向に伸びる車輪支持部材と該車輪支持部材に左右方向に沿って伸びる回転軸回りに回転自在に支持される円筒部材である車輪支持ローラと該車輪支持部材の前記車輪支持ローラを挟んで左右方向に離れた位置に各々に固定され平面の上を任意の方向に転動できる左右一対の自在車輪とを含み、前後一対の車輪支持ローラが車輪を前後方向に挟む位置に置かれた第一姿勢の状態で、前記車輪支持移動機構が前後一対の車輪外周支持機構の前後方向の相対距離を接近させると、前後一対の車輪支持ローラの外周が車輪の外周に接して、車輪が平面から持ち上がり、また、車輪支持移動機構が前後一対の車輪外周支持機構の前後方向の相対距離を離間させると、前後一対の車輪支持ローラの外周が車輪の外周から離れて、車輪が平面に接する、ものとした。
【０００８】
上記本発明の構成により、複数の車輪支持機構が車両の複数の車輪を各々に平面から持ち上げまたは平面に降ろすことをできる。走行機構が複数の該車輪支持機構に連結し平面の上を移動できる。前後一対の車輪外周支持機構が車両の車輪の外周の前方下半分と後方下半分とに夫々に接触できる。車輪支持移動機構が、前後一対の車輪外周支持機構の前後方向の相対距離を離間させまたは接近させることをできる。車輪外周支持機構の車輪支持部材が左右方向に伸びる。円筒部材である車輪支持ローラが、該車輪支持部材に左右方向に沿って伸びる回転軸回りに回転自在に支持される。平面の上を任意の方向に転動できる左右一対の自在車輪が、該車輪支持部材の前記車輪支持ローラを挟んで左右方向に離れた位置に各々に固定される。第一姿勢が前後一対の車輪支持ローラが車輪を前後方向に挟む位置に置かれた状態である。第一姿勢の状態で、前記車輪支持移動機構が前後一対の車輪外周支持機構の前後方向の相対距離を接近させると、前後一対の車輪支持ローラの外周が車輪の外周に接して、車輪が平面から持ち上がる。第一姿勢の状態で、車輪支持移動機構が前後一対の車輪外周支持機構の前後方向の相対距離を離間させると、前後一対の車輪支持ローラの外周が車輪の外周から離れて、車輪が平面に接する。
その結果、台車を車両に互いの前後左右を一致させて沿わせて、前記第一姿勢の状態で、前記車輪支持移動機構が前後一対の車輪外周支持機構の前後方向の相対距離を接近させて、車輪を平面から持ち上げて、走行機構が平面の上を走行した後、車輪支持移動機構が前後一対の車輪外周支持機構の前後方向の相対距離を離間させて、車輪を平面に接することにより、車両の車輪以外の箇所に触れることなく、平面の上で車両の姿勢または位置を変更できる。
【０００９】
以下に、本発明の実施形態に係るいくつかの車両移動装置を説明する。本発明は、以下に記載した実施形態のいずれか、またはそれらの中の二つ以上が組み合わされた態様を含む。
【００１０】
本発明の実施形態に係る車両移動装置は、前記台車装置が、前記走行機構を基礎として前後一対の前記車輪支持機構を左右方向に移動させる左右移動機構を有し、前記左右移動機構が前記走行機構を基礎として前後一対の前記車輪支持機構を左右方向に移動させると、前記第一姿勢と前後一対の車輪支持ローラが前記走行機構の側へ引き込まれた第二姿勢との間で姿勢を変化させる。
【００１１】
上記本発明の構成により、第二姿勢が、前後一対の車輪支持ローラが前記走行機構の側へ引き込まれた姿勢である。前記左右移動機構が、前記走行機構を基礎として前後一対の該車輪支持機構を左右方向に移動させて、前記第一姿勢と第二姿勢との間で姿勢を変化させる。
その結果、台車を車両に互いの前後左右を一致させて沿わせて、前記第一姿勢の状態で、前記車輪支持移動機構が前後一対の車輪外周支持機構の前後方向の相対距離を離間させまたは接近させて、車輪を平面から持ち上げまたは下げることをでき、第一姿勢から第二姿勢に変化させると、前後一対の車輪支持ローラを車両に干渉させることなく、台車装置を車両から容易に引き離すことをできる。
【００１２】
上記目的を達成するため、本発明に係る平面の上で車両の姿勢または位置を変更できる車両移動装置を、車両の左右の一方の側の前方の車輪と後方の車輪とを各々に平面から持ち上げまたは平面に降ろすことをできる前後一対の車輪支持機構と前後一対の該車輪支持機構に連結し平面の上を移動できる走行機構とを有する左右一対の台車装置を備え、前記走行機構が前後方向に沿って伸びる梁構造体と該梁構造体の前後方向に距離を離した位置に設けられた前後一対の走行車輪と前記梁構造体と前後一対の該車輪支持機構とを連結し前後方向に伸びる揺動軸回りに揺動する連結構造とを持ち、前記車輪支持機構が車両の車輪の外周の前方下半分と後方下半分とに夫々に接触できる前後一対の車輪外周支持機構と前後一対の車輪外周支持機構の前後方向の相対距離を離間させまたは接近させることをできる車輪支持移動機構とを持ち、前記車輪外周支持機構が左右方向に伸びる車輪支持部材と該車輪支持部材に左右方向に沿って伸びる回転軸回りに回転自在に支持される円筒部材である車輪支持ローラと該車輪支持部材の前記車輪支持ローラを挟んで左右方向に離れた位置に各々に固定され平面の上を任意の方向に転動できる左右一対の自在車輪とを含み、前後一対の車輪支持ローラが車輪を前後方向に挟む位置に置かれた第一姿勢の状態で、前記車輪支持移動機構が前後一対の車輪外周支持機構の前後方向の相対距離を接近させると、前後一対の車輪支持ローラの外周が車輪の外周に接して、車輪が平面から持ち上がり、また、車輪支持移動機構が前後一対の車輪外周支持機構の前後方向の相対距離を離間させると、前後一対の車輪支持ローラの外周が車輪の外周から離れて、車輪が平面に接する、ものとした。
【００１３】
上記本発明の構成により、左右一対の台車装置が前後一対の車輪支持機構と走行機構とを有する。前後一対の車輪支持機構が、車両の左右の一方の側の前方の車輪と後方の車輪とを各々に平面から持ち上げまたは平面に降ろすことをできる。走行機構が、前後一対の該車輪支持機構に連結し平面の上を移動できる。走行機構の梁構造体が、前後方向に沿って伸びる。前後一対の走行車輪が、該梁構造体の前後方向に距離を離した位置に設けられる。連結構造が、前記梁構造体と前後一対の該車輪支持機構とを連結し前後方向に伸びる揺動軸回りに揺動する。前後一対の車輪外周支持機構が、車両の車輪の外周の前方下半分と後方下半分とに夫々に接触できる。車輪支持移動機構が、前後一対の車輪外周支持機構の前後方向の相対距離を離間させまたは接近させることをできる。前記車輪外周支持機構の車輪支持部材が、左右方向に伸びる。
円筒部材である車輪支持ローラが、該車輪支持部材に左右方向に沿って伸びる回転軸回りに回転自在に支持される。平面の上を任意の方向に転動できる左右一対の自在車輪が、該車輪支持部材の前記車輪支持ローラを挟んで左右方向に離れた位置に各々に固定される。第一姿勢が、前後一対の車輪支持ローラが車輪を前後方向に挟む位置に置かれた姿勢である。第一姿勢の状態で、前記車輪支持移動機構が前後一対の車輪外周支持機構の前後方向の相対距離を接近させると、前後一対の車輪支持ローラの外周が車輪の外周に接して、車輪が平面から持ち上がる。第一姿勢の状態で、車輪支持移動機構が前後一対の車輪外周支持機構の前後方向の相対距離を離間させると、前後一対の車輪支持ローラの外周が車輪の外周から離れて、車輪が平面に接する。
その結果、左右一対の台車装置を車両に互いの前後左右を一致させて沿わせて、前記第一姿勢の状態で、前記車輪支持移動機構が前後一対の車輪外周支持機構の前後方向の相対距離を接近させて、車輪を平面から持ち上げて、走行機構が平面の上を走行した後、車輪支持移動機構が前後一対の車輪外周支持機構の前後方向の相対距離を離間させて、車輪を平面に接することにより、車両の車輪以外の箇所に触れることなく、平面の上で車両の姿勢または位置を変更できる。さらに、前後一対の走行車輪が平面を基礎として走行機構の梁構造体を支え、前後一対の該車輪支持機構が連結構造を介して走行機構の梁構造体の重量を支え、前記一対の自在車輪が平面を基礎として車輪支持機構を支え、台車装置が安定して平面に支持されて移動できる。
【００１４】
本発明の実施形態に係る車両移動装置は、前記走行車輪が、水平方向に沿って伸びた車輪回転軸の回りに回転駆動される駆動車輪と該車輪回転軸を垂直軸の回りに回転させる揺動駆動機構とを持つ。
【００１５】
上記本発明の構成により、駆動車輪が、水平方向に沿って伸びた車輪回転軸の回りに回転駆動される。揺動駆動機構が、該車輪回転軸を垂直軸の回りに回転させる。
その結果、揺動駆動機構と駆動車輪が連動して作動することにより、左右一対の走行台車が平面の上で姿勢または位置を任意の姿勢または任意の位置に変更でき、走行台車により持ち上げた車両の姿勢または位置を変更できる。
【００１６】
本発明の実施形態に係る車両移動装置は、前記台車装置が前記走行機構を基礎として前後一対の前記車輪支持機構を左右方向に移動させる左右移動機構を有し、前記連結構造が前記梁構造体を基礎として左右方向に移動自在に案内される副梁構造体と該副梁構造と前後一対の車輪支持機構とを連結し前記揺動軸回りに揺動する連結部材とを含み、前記左右移動機構が前記梁構造体を基礎として前記副梁構造体を左右方向に移動させると、前記第一姿勢と前後一対の車輪支持ローラが前記走行機構の側へ引き込まれた第二姿勢との間で姿勢を変化させる、
【００１７】
上記本発明の構成により、左右移動機構が、前記走行機構を基礎として前後一対の前記車輪支持機構を左右方向に移動させる。副梁構造体が、前記梁構造体を基礎として左右方向に移動自在に案内される。前記揺動軸回りに揺動する連結部材が、該副梁構造と前後一対の車輪支持機構とを連結する。前記左右移動機構が前記梁構造体を基礎として前記副梁構造体を左右方向に移動させると、前記第一姿勢と前後一対の車輪支持ローラが前記走行機構の側へ引き込まれた第二姿勢との間で姿勢を変化させる。
その結果、梁構造体を基礎として副梁構造体が左右方向に移動して、副梁構造体を基礎として連結部材を介して前後一対の車輪支持機構を左右方向に移動させる。
【００１８】
上記目的を達成するため、本発明に係る平面の上で車両の姿勢または位置を変更できる車両移動装置を、車両の複数の車輪を各々に平面から持ち上げまたは平面に降ろすことをできる複数の車輪支持機構と複数の該車輪支持機構に連結し平面の上を移動できる走行機構と該走行機構を基礎として前後一対の該車輪支持機構を左右方向に移動させる左右移動機構とを有する台車装置を備え、前記車輪支持機構が車両の車輪の外周の前方下半分と後方下半分とに夫々に接触できる前後一対の車輪外周支持機構と前後一対の車輪外周支持機構の前後方向の相対距離を離間させまたは接近させることをできる車輪支持移動機構とを持ち、前記車輪外周支持機構が左右方向に伸びる車輪支持部材と該車輪支持部材に左右方向に沿った中心軸回りに回転自在に支持される円筒部材である車輪支持ローラとを含み、前後一対の車輪支持ローラが車輪を前後方向に挟む位置に置かれた第一姿勢の状態で、前記車輪支持移動機構が前後一対の車輪外周支持機構の前後方向の相対距離を接近させると、前後一対の車輪支持ローラの外周が車輪の外周に接して、車輪が平面から持ち上がり、また、車輪支持移動機構が前後一対の車輪外周支持機構の前後方向の相対距離を離間させると、前後一対の車輪支持ローラの外周が車輪の外周から離れて、車輪が平面に接し、前記左右移動機構が前記走行機構を基礎として前後一対の前記車輪支持機構を左右方向に移動させると、前記第一姿勢と前後一対の車輪支持ローラが前記走行機構の側へ引き込まれた第二姿勢との間で姿勢を変化させる、ものとした。
【００１９】
上記本発明の構成により、複数の車輪支持機構が、車両の複数の車輪を各々に平面から持ち上げまたは平面に降ろすことをできる。走行機構が、複数の該車輪支持機構に連結し平面の上を移動できる。左右移動機構が、該走行機構を基礎として前後一対の該車輪支持機構を左右方向に移動させる。前後一対の車輪外周支持機構が、車両の車輪の外周の前方下半分と後方下半分とに夫々に接触できる。車輪支持移動機構が、前後一対の車輪外周支持機構の前後方向の相対距離を離間させまたは接近させることをできる。前記車輪外周支持機構の車輪支持部材が左右方向に伸びる。円筒部材である車輪支持ローラが該車輪支持部材に左右方向に沿った中心軸回りに回転自在に支持される。第一姿勢が、前後一対の車輪支持ローラが車輪を前後方向に挟む位置に置かれた姿勢である。第一姿勢の状態で、前記車輪支持移動機構が前後一対の車輪外周支持機構の前後方向の相対距離を接近させると、前後一対の車輪支持ローラの外周が車輪の外周に接して、車輪が平面から持ち上がる。第一姿勢の状態で、車輪支持移動機構が前後一対の車輪外周支持機構の前後方向の相対距離を離間させると、前後一対の車輪支持ローラの外周が車輪の外周から離れて、車輪が平面に接する。第二姿勢が、前後一対の車輪支持ローラが前記走行機構の側へ引き込まれた姿勢である。前記左右移動機構が前記走行機構を基礎として前後一対の前記車輪支持機構を左右方向に移動させると、前記第一姿勢と第二姿勢との間で姿勢を変化させる
その結果、台車を車両に互いの前後左右を一致させて沿わせて、前後一対の車輪支持ローラが車輪を前後方向に挟む位置に置かれた第一姿勢の状態で、前記車輪支持移動機構が前後一対の車輪外周支持機構の前後方向の相対距離を接近させて、車輪を平面から持ち上げて、走行機構が平面の上を走行し、その後、車輪支持移動機構が前後一対の車輪外周支持機構の前後方向の相対距離を離間させて、車輪を平面に接することにより、車両の車輪以外の箇所に触れることなく、平面の上で車両の姿勢または位置を変更でき、第一姿勢から第二姿勢に変化させると、前後一対の車輪支持ローラを車両に干渉させることなく、容易に台車装置を車両から引き離すことをできる。
【発明の効果】
【００２０】
以上説明したように本発明に係る平面の上で車両の姿勢または位置を変更できる車両移動装置、その構成により、以下の効果を有する。
離間距離を接近し離間させることをできる前後一対の車輪支持ローラで車両の複数の車輪の外周の前方下半分と後方下半分とを支持して、離間距離を接近させると車両の車輪が持ち上がる様にし、前後一対の車輪支持ローラを車輪支持部材で回転自在に支持し、車輪支持部材の車輪支持ローラを挟んだ位置に固定された左右一対の自在車輪を平面の上で任意の方向に転動させ、平面の上で移動する走行機構を前後一対の車輪支持ローラを設けられた車輪支持機構に連結したので、第一姿勢の状態で、前記車輪支持移動機構が前後一対の車輪外周支持機構の前後方向の相対距離を接近させて、車輪を平面から持ち上げて、走行機構が平面の上を走行し、その後、車輪支持移動機構が前後一対の車輪外周支持機構の前後方向の相対距離を離間させて、車輪を平面に接することにより、車両の車輪以外の箇所に触れることなく、平面の上で車両の姿勢または位置を変更できる。
また、前記走行機構を基礎として前後一対の前記車輪支持機構を左右方向に移動させて、前記第一姿勢と前記第二姿勢との間で姿勢を変化させる様にしたので、前記第一姿勢の状態で、前記車輪支持移動機構が前後一対の車輪外周支持機構の前後方向の相対距離を離間させまたは接近させて、車輪を平面から持ち上げまたは下げることをでき、第一姿勢から第二姿勢に変化させると、前後一対の車輪支持ローラを車両に干渉させることなく、容易に台車装置を車両から引き離すことをできる。
また、台車装置を左右一対の台車装置に分け、前記走行機構に前後方向に沿って伸びる梁構造体を設け、前後一対の走行車輪で該梁構造体の前後方向に距離を離した位置を支持し、揺動軸回りに揺動する連結構造で前記梁構造体と前後一対の該車輪支持機構とを連結したので、前後一対の走行車輪が平面を基礎として走行機構の梁構造体を支え、前後一対の該車輪支持機構が連結構造を介して走行機構の梁構造体を支え、前記一対の自在車輪が平面を基礎として車輪支持機構を支え、台車装置が安定して平面に支持されて移動できる。
また、駆動車輪が、水平方向に沿って伸びた車輪回転軸の回りに回転駆動され、揺動駆動機構が、該車輪回転軸を垂直軸の回りに回転させる様にしたので、揺動駆動機構と駆動車輪が連動して作動することにより、走行台車の平面の上で姿勢または位置を任意の姿勢または任意の位置に変更できる。
また、左右移動駆動機構が前記梁構造体を基礎として副梁構造体を左右方向に移動させ、連結部材が副梁構造体を前後一対の車輪支持機構に連結する様にしたので、梁構造体を基礎として副梁構造体が左右方向に移動して、副梁構造体を基礎として連結部材を介して前後一対の車輪支持機構を左右方向に移動させる。
また、離間距離を接近しまた離間させることをできる前後一対の車輪支持ローラで車両の複数の車輪の外周の前方下半分と後方下半分とを支持して、離間距離を接近させると車両の車輪が持ち上がる様にし、前後一対の車輪支持ローラを車輪支持部材で回転自在に支持、平面の上で移動する走行機能を前後一対の車輪支持ローラを設けられた車輪支持機構に連結したので、前記第一姿勢の状態で、前記車輪支持移動機構が前後一対の車輪外周支持機構の前後方向の相対距離を接近させて、車輪を平面から持ち上げて、走行機構が平面の上を走行した後、車輪支持移動機構が前後一対の車輪外周支持機構の前後方向の相対距離を離間させて、車輪を平面に接することにより、車両の車輪以外の箇所に触れることなく、平面の上で車両の姿勢または位置を変更でき、第一姿勢から第二姿勢に変化させると、前後一対の車輪支持ローラを車両に干渉させることなく、容易に台車装置を車両から引き離すことをできる。
従って、簡易な構成で、より効率良く平面の上で車両の姿勢または位置を変更できる車両移動装置を提供できる。
【発明を実施するための最良の形態】
【００２１】
以下、本発明を実施するための最良の形態を、図面を参照して説明する。なお、各図において、共通する部分には同一の符号を付し、重複した説明を省略する。
【００２２】
本発明の実施形態に係る昇降足場装置の構成を、図を基に、説明する。
図１は、本発明の実施形態に係る車両移動装置の斜視図である。図２は、本発明の実施形態に係る車両移動装置の側面図である。図３は、本発明の実施形態に係る車両移動装置の平面図である。図４は、本発明の実施形態に係る車両移動装置のＡ−Ａ断面図である。図５は、本発明の実施形態に係る車両移動装置のＡ−Ａ断面図である。図６は、本発明の実施形態に係る車両移動装置のＢ−Ｂ断面図である。図７は、本発明の実施形態に係る車両移動装置のＣ−Ｃ断面図である。
説明の便宜上、車両移動機構が車両の姿勢または位置を変更している際の車両の前後方向に沿った向きを車両移動機構の前後方向、車両の左右方向に沿った向きを車両移動機構の左右方向と呼称する、
【００２３】
車両移動装置は、台車装置１００と制御装置（図示せず）と車両検知装置（図示せず）とで構成される。
台車装置は、車両の車輪を支持して平面Ｓから持ち上げ、移動する装置である。
制御装置は、後述する車両検知装置の検知結果を基に、台車装置を制御して、車両を、予め設定された位置に移動し、予め設定させた姿勢に変更する装置である。
車両検知装置は、車両の姿勢と位置を検知し、検知データを制御装置へ送る装置である。
【００２４】
台車装置１００は、複数の車輪支持機構２００と走行機構３００と左右移動機構４００と前後移動機構５００とで構成される。
例えば、台車装置１００は、前後左右に配された４個の車輪支持機構２００と走行機構３００と左右移動機構４００と前後移動機構５００とで構成される。
車輪支持機構２００は、車両の複数の車輪を各々に平面から持ち上げまたは平面に降ろすことをできる機構である。
走行機構３００は、複数の車輪支持機構に連結し平面の上を移動できる機構である。
左右移動機構４００は、走行機構３００を基礎として複数の車輪支持機構２００を左右方向に移動させる機構である。
前後移動機構５００は、前後一対の車輪支持機構２００の前後方向の相対距離を接近し、または離間させることをできる機構である。
【００２５】
台車装置１００は、左右一対の台車装置１００Ｒ、１００Ｌに別れていても良い。
台車装置１００Ｒ、１００Ｌは、前後一対の車輪支持機構２００と走行機構３００と左右移動機構４００と前後移動機構５００とで構成される。
車輪支持機構２００は、車両の左右の一方の側の前方の車輪と後方の車輪とを各々に平面から持ち上げまたは平面に降ろすことをできる機構である。
走行機構３００は、前後一対の車輪支持機構２００に連結し平面Ｓの上を移動できる機構である。
左右移動機構４００は、走行機構３００を基礎として前後一対の車輪支持機構２００を左右方向に移動させる機構である。
前後移動機構５００は、前後一対の車輪支持機構２００の前後方向の相対距離を接近し、または離間させることをできる機構である。例えば、前後移動機構５００は、走行機構３００を基礎として、前後一対の車輪支持機構２００のうちの一方を前後方向に移動させる。
【００２６】
車輪支持機構２００は、車両の左右の一方の側の前方の車輪と後方の車輪とを各々に平面から持ち上げまたは平面に降ろすことをできる機構である。
例えば、車両支持機構２００は、前後一対の車輪外周支持機構２１０と車輪支持移動機構２２０とで構成される。
車輪外周支持機構２１０は、車両の車輪の外周の前方下半分と後方下半分とに夫々に接触できる機構である。
車輪外周支持機構２１０は、車輪支持部材２１１と車輪支持ローラ２１２と左右一対の自在車輪２１３とで構成される。
車輪支持部材２１１は、左右方向に伸びる部材である。車輪支持部材２１１は、車輪支持移動機構２２０に保持される。
車輪支持ローラ２１２は、車輪支持部材２１１に左右方向に沿って伸びる回転軸回りに回転自在に支持される円筒部材である。
左右一対の自在車輪２１３は、車輪支持部材２１１の車輪支持ローラ２１２を挟んで左右方向に離れた位置に各々に固定され、平面Ｓの上を任意の方向に転動できる機械要素である。
例えば、自在車輪は、キャスタローラやオムニホイール等である。
【００２７】
車輪支持移動機構２２０は、前後一対の車輪外周支持機構２１０の前後方向の相対距離を離間させまたは接近させることをできる機構である。
車輪支持移動機構２２０は、ラック＆ピニオン２２１と車輪支持移動モータ２２２と車輪支持移動ガイド２２３とで構成される。
ラック＆ピニオン２２１は、車輪支持部材２１１に固定されたラックとラックに噛み合ったピニオンで構成される機械要素である。
車輪支持移動モータ２２２は、ピニオンを回転駆動する回転アクチエータである。  車輪支持移動モータ２２２がピニオンを一方へ回転駆動すると、前後一対の車輪外周支持機構２１０の前後方向の相対距離が離間する。
車輪支持移動モータ２２２がピニオンを他方へ回転駆動すると、前後一対の車輪外周支持機構２１０の前後方向の相対距離が接近する。
車輪支持移動ガイド２２３は、前後一対の車輪外周支持機構２１０を前後方向に移動自在に案内する案内部材である。
車輪支持移動モータ２２２は、車輪支持移動ガイド２２３の上部に連結される部材に固定される。
【００２８】
説明の便宜上、台車が車両に前後左右を一致させて沿ったときに、前後一対の車輪支持ローラ２１２が車輪を前後方向に挟む位置に置かれた姿勢を、第一姿勢と呼称する。
図５、図６、図７が、第一姿勢の状態を示す。
第一姿勢の状態で、車輪支持移動機構２２０が前後一対の車輪外周支持機構２１０の前後方向の相対距離を接近させると、前後一対の車輪支持ローラ２１２の外周が車輪の外周に接して、車輪が平面から持ち上がる。
さらに、車輪支持移動機構２２０が前後一対の車輪外周支持機構２１０の前後方向の相対距離を離間させると、前後一対の車輪支持ローラ２１２の外周が車輪の外周から離れて、車輪が平面に接する、
【００２９】
走行機構３００は、前後一対の車輪支持機構２００に連結し平面Ｓの上を移動できる機構である。
例えば、走行機構３００は、梁構造体３１０と前後一対の走行車輪３２０と連結構造３３０と従動車輪３４０とで構成される。
梁構造体３１０は、前後方向に沿って伸びる梁形状の構造体である。
走行車輪３２０は、梁構造体３１０の前後方向に距離を離した位置に設けられる駆動車輪である。
走行車輪３２０は、いわゆる転向ローラと呼称され、水平方向に沿って伸びた車輪回転軸の回りに回転駆動される駆動車輪３２１と車輪回転軸を垂直軸の回りに回転させる揺動駆動機構３２２とで構成される。
【００３０】
連結構造３３０は、梁構造体３１０と前後一対の車輪支持機構２００とを連結し前後方向に伸びる揺動軸回りに揺動する構造である。
連結構造３３０は、副梁構造体３３１と前後一対の連結部材３３２と前後一対の左右移動ガイド３３３とで構成される。
副梁構造体３３１は、後述する左右移動機構４００により、梁構造体３１０を基礎として左右方向に移動自在に案内される梁形状の構造体である。
前後一対の連結部材３３２は、前後方向に伸びる副梁構造体３３１と前後一対の車輪支持機構２２０とを各々に連結し、揺動軸回りに揺動する部材である。
前方の連結部材３３２は、後述する前後移動機構５００を介して、副梁構造体３３１の前方の位置と前方の車輪支持機構２００とを連結する。後方の連結部材３３２は、副梁構造体３３１の後方の位置と後方の車輪支持機構２００と連結する。
連結部材３３２は、上下方向に所定の距離のガタがあってもよい。
前後一対の左右移動ガイド３３３は、梁構造体４１０を基礎として副梁構造体３３１を左右方向に移動自在に案内する機械要素である。前方の左右移動ガイド３３３が、梁構造体４１の前方の位置を基礎として副梁構造体の前方の位置を左右方向に移動自在に案内する。後方の左右移動ガイド３３３が、梁構造体４１の後方の位置を基礎として副梁構造体の後方の位置を左右方向に移動自在に案内する。
従動車輪３４０は、梁構造体３１０を支持する従動車輪である。前後一対の走行車輪３２０の平面への接触点と従動車輪３４０の平面との接触点とが、三角形の３つの頂点を各々に形成する。
【００３１】
左右移動機構４００は、走行機構３００を基礎として複数の車輪支持機構２００を左右方向に移動させる機構である。
例えば、左右移動機構４００は、ラック＆ピニオン４０１と左右移動モータ４０２とで構成される。
ラック＆ピニオン４０１が、長手方向を左右方向に沿って梁構造体３１０に固定されたラックとラックに噛み合うピニオンとで構成される機械要素である。
左右移動モータ４０２は、副梁構造体３３１に固定され、ピニオンを回転駆動する機械要素である。
【００３２】
左右移動機構４００の作動を、左台車装置１００Ｌでの場合を例に、説明する。
左右移動モータ４０２を一方の回転方向に回転させると、副梁構造体３３１が梁構造体３１０を基礎として右方向へ移動する。車輪支持機構２００が右方向へ移動する。車輪支持ローラ２１２が、走行機構３００の輪郭から外側へ突き出る。
左走行台車１００Ｌが車両の左側に位置し、車両支持機構２００が車両の車輪の側面に対面している場合には、前後一対の車輪支持ローラが車輪を前後方向に挟む位置に置かれた姿勢（第一姿勢）になる。
左右移動モータ４０２を他方の回転方向に回転させると、副梁構造体３３１が梁構造体３１０を基礎として左方向へ移動する。車輪支持機構２００が左方向へ移動する。車輪支持ローラ２１２が、走行機構３００の側へ引き込まれる。
例えば、車輪支持ローラ２１２が、走行機構３００の輪郭の内側へ引き込まれる。
説明の便宜上、前後一対の車輪支持ローラが走行機構の側へ引き込まれた姿勢を第二姿勢と呼称する。
図４は、第二の姿勢を示す。
【００３３】
前後移動機構５００は、前後一対の車輪支持機構２００の前後方向の相対距離を接近し、または離間させることをできる機構である。
例えば、前後移動機構５００は、前方の車両支持機構２００を前後方向に移動させるために、副梁構造体３３１と前方の車両支持機構２００との間に組み込まれる。
前後移動機構５００は、ラック＆ピニオン５０１と前後移動モータ５０２と前後移動ガイド５０３とで構成される。
ラック＆ピニオン５０１は、連結部材３３２の下部に固定する部材に連結されたラックとラックに噛みあったピニオンとで構成される。
前後移動モータ５０２は、車輪支持移動ガイド２２３の上部に固定する部材に連結され、ピニオンを回転駆動する回転アクチエータである。
前後移動ガイド５０３は、連結部材３３２の下部に固定する部材を基礎として車輪支持移動ガイド２２３の上部に固定する部材を前後方向に移動自在に案内する機械要素である。例えば、前後移動ガイド５０３は、リニアガイドである。
前後移動モータ５０２が一方の回転方向に回転すると、前方の車輪支持機構２００が後方に移動して、前後一対の車輪支持機構の相対距離が接近する。
前後移動モータ５０２が他方のの回転方向に回転すると、前方の車輪支持機構２００が前方に移動して、前後一対の車輪支持機構の相対距離が離間する。
【００３４】
以下に、本発明の実施形態に係る車両移動装置の作用を、図を基に、説明する。
図８は、本発明の実施形態に係る車両移動装置の作用説明図である。
駐車装置において、乗捨てスペースに乗り捨てた車両を入出庫スペースへ移動する場合を例に説明する。
台車装置が、前後一対の台車装置である場合を例に説明する。
【００３５】
（ステップＡ）
車両が乗捨てスペースに進入し、停止する。
車両検知装置が、車両の姿勢と位置を検知する。
例えば、レーザセンサが車両の位置と姿勢、４つの車輪の位置を検知する。
空のパレットが入出庫スペースに位置する。
左右一対の台車装置が、入出庫スペースに待機する。
台車装置１００が、車両支持機構２００の姿勢を第二姿勢にする。
【００３６】
（ステップＢ）
制御装置が、車両の位置と姿勢、４つの車輪の位置のデータを基に、左右一対の台車装置を制御する。
右台車装置１００Ｒが、車両の右側に移動し、停止する。
左台車装置１００Ｌが、車両の左側に移動し、停止する。
前後移動装置５００を作動させ、前後一対の車両支持機構２００の前後方向の相対距離を車両の前輪と後輪との前後方向の相対距離に対応させる。
【００３７】
（ステップＣ）
左右移動機構４００を作動させ、車両支持機構２００の姿勢を第一姿勢にする。
前後一対の車輪支持ローラが車輪を前後方向に挟む位置に置かれる。
車輪支持移動機構２２０を作動させ、前後一対の車輪外周支持機構２１０の前後方向の相対距離を接近させる。
車輪支持ローラが車輪の前下半分と後下半分を支えて、車輪が平面Ｓから持ち上がる。
この状態で、左右一対の台車装置と車両とが一体となって平面の上を移動できる。
【００３８】
（ステップＤ）
左右一対の台車装置を連動させて、車輪の姿勢を変更し、車両の前後方向を入出庫スペースのパレットの前後方向に一致させる。
左右一対の台車装置を連動させて、車両の位置を入出庫スペースのパレットの上に移動させる。
【００３９】
（ステップＥ）
車輪支持移動機構２２０を作動させ、前後一対の車輪外周支持機構２１０の前後方向の相対距離を離間させる。車輪がパレットに乗る。
左右移動機構を作動させて、車両支持機構２００の姿勢を第一姿勢から第二姿勢に変更する。
この作業の途中に、次の車両が乗捨てスペースに進入する。
【００４０】
（ステップＦ）
車両を載せたパレットが駐車装置に引き込まれる。
【００４１】
車両を出庫させるばあいは、ステップＦからステップＡへ順に実施する。
【００４２】
上述の実施形態の車両移動装置を用いれば、以下の効果を発揮する。
車両の左右を互いの前後左右を一致させて、左右一対の台車装置１００Ｒ、１００Ｌで挟み、離間距離を接近し離間させることをできる前後一対の車輪支持ローラ２１２で車両の複数の車輪の外周の前方下半分と後方下半分とを支持して離間距離を接近させて車両の車輪が持ち上がる様にし、前後一対の車輪支持ローラ２１２を車輪支持部材２１１で回転自在に支持し、車輪支持部材２１１の車輪支持ローラ２１２を挟んだ位置に固定された左右一対の自在車輪２１３を平面の上で転動させ、平面の上で移動する走行機構３００を前後一対の車輪支持ローラ２１２を設けられた車輪支持機構２００に連結したので、第一姿勢の状態で、前後一対の車輪外周支持機構２１０の前後方向の相対距離を接近させて、車輪を平面から持ち上げて、走行機構３００が平面の上を走行した後、前後一対の車輪外周支持機構２１０の前後方向の相対距離を離間させて、車輪を平面に接することにより、車両の車輪以外の箇所に触れることなく、平面の上で車両の姿勢または位置を変更できる。
また、走行機構３００を基礎として前後一対の車輪支持機構２００を左右方向に移動させて、第一姿勢と第二姿勢との間で姿勢を変化させる様にしたので、第一姿勢の状態で、車輪支持移動機構２２０が前後一対の車輪外周支持機構２１０の前後方向の相対距離を離間させまたは接近させて、車輪を平面から持ち上げまたは下げることをでき、第一姿勢から第二姿勢に変化させると、前後一対の車輪支持ローラ２１２を車両に干渉させることなく、容易に台車装置１００Ｒ、１００Ｌを車両から引き離すことをできる。
また、走行機構３００に前後方向に沿って伸びる梁構造体３１０を設け、前後一対の走行車輪３２０で梁構造体３１０の前後方向に距離を離した位置を支持し、揺動軸回りに揺動する連結構造３３０で梁構造体３１０と前後一対の車輪支持機構２００とを連結したので、前後一対の走行車輪３２０が平面を基礎として走行機構３００の梁構造体３１０を支え、前後一対の車輪支持機構２００が連結構造を３３０介して走行機構３００の梁構造体３１０を支え、左右一対の自在車輪２１３が平面を基礎として車輪支持機構２００を支え、台車装置１００Ｒ、１００Ｌが安定して平面の上を移動できる。
また、走行車輪３２０の駆動車輪３２１が、水平方向に沿って伸びた車輪回転軸の回りに回転駆動され、揺動駆動機構３２２が、車輪回転軸を垂直軸の回りに回転させる様にしたので、揺動駆動機構３２２と駆動車輪３２１が連動して作動することにより、走行台車１００Ｒ、１００Ｌの平面の上で姿勢または位置を任意の姿勢または任意の位置に変更できる。
また、左右移動機構４００が梁構造体３１０を基礎として副梁構造体３３１を左右方向に移動させ、連結部材３３２が副梁構造体３３１を前後一対の車輪支持機構２００に連結する様にしたので、梁構造体３１０を基礎として副梁構造体３３１が左右方向に移動させて、前後一対の車輪支持機構２００を左右方向に移動させる。
また、駐車装置に本発明の車両移動装置を設ければ、前庭部に車両移動体のような設備を前置する必要がない。
また、広々とした平面の上で任意の姿勢で停止した車両の姿勢または位置を容易に変更できる。
【００４３】
本発明は以上に述べた実施形態に限られるものではなく、発明の要旨を逸脱しない範囲で各種の変更が可能である。
車両の姿勢と位置を変更するのに分離した左右一対の台車装置をもちいておこなう例で説明したが、これに限定されず、例えば、前後左右に車両支持機構を設けられた一台の台車装置を用いてもよく、また、左右一対の台車装置と左右一対の台車装置を連結した連結台車とを用いてもよい。
【図面の簡単な説明】
【００４４】
【図１】本発明の実施形態に係る車両移動装置の斜視図である。
【図２】本発明の実施形態に係る車両移動装置の側面図である。
【図３】本発明の実施形態に係る車両移動装置の平面図である。
【図４】本発明の実施形態に係る車両移動装置のＡ−Ａ断面図である。
【図５】本発明の実施形態に係る車両移動装置のＡ−Ａ断面図である。
【図６】本発明の実施形態に係る車両移動装置のＢ−Ｂ断面図である。
【図７】本発明の実施形態に係る車両移動装置のＣ−Ｃ断面図である。
【図８】本発明の実施形態に係る車両移動装置の作用説明図である。
【符号の説明】
【００４５】
Ｓ    平面
１００    台車装置
１００Ｒ  右台車装置
１００Ｌ  左台車装置
２００    車両支持機構
２１０    車輪外周支持機構
２１１    車輪支持部材
２１２    車輪支持ローラ
２１３    自在車輪
２２０    車輪支持移動機構
２２１    ラック＆ピニオン
２２２    車輪支持移動モータ
２２３    車輪支持移動ガイド
３００    走行機構
３１０    梁構造体
３２０    走行車輪
３２１    駆動車輪
３２２    揺動駆動機構
３３０    連結構造
３３１    副梁構造体
３３２    連結部材
３３３    左右移動ガイド
３４０    従動車輪
４００    左右移動機構
４０１    ラック＆ピニオン
４０２    左右移動モータ
５００    前後移動機構
５０１    ラック＆ピニオン
５０２    前後移動モータ
５０３    前後移動ガイド
【図１】
2008075351.tif 000003
【図２】
2008075351.tif 000004
【図３】
2008075351.tif 000005
【図４】
2008075351.tif 000006
【図５】
2008075351.tif 000007
【図６】
2008075351.tif 000008
【図７】
2008075351.tif 000009
【図８】
2008075351.tif 000010